(57)【要約】【解決手段】ＳＦＰ型の回路基板コネクタにシールドを提供するシールドハウジングはコネクタを取囲む導電性本体を含む。ハウジングは、相手側嵌（かん）合コネクタが挿入されるハウジングの入口を画定する開口を有する。また、ハウジングはある角度でハウジングの内方に曲げられた一対の係合タブを含み、これらのタブはＳＦＰ型のコネクタと嵌合するプラグコネクタのシェルに形成された開口と係合する。タブは開口内にあり、ラッチ機構によって開放される。この機構は、ハンドルと長手方向に延在する２本のアームとを含む。アームの末端は、ＳＦＰ型のコネクタからプラグコネクタの係合を外すためにプラグコネクタシェル開口から係合端と接触し持上げるカム部となっている。【選択図】図１９
0003143344.tif 000002
【実用新案登録請求の範囲】
【請求項１】
レセプタクルコネクタとラッチ係合するために構成されたプラグコネクタであって、
プラグコネクタハウジングであって、該プラグコネクタハウジングの前方に延在する嵌合ブレード部を含むとともに中空の内部を含むプラグコネクタハウジングと、
前記レセプタクルコネクタとの係合状態から前記プラグコネクタを解除するラッチ解除機構とを有し、該ラッチ解除機構は、前記プラグコネクタハウジング内で長手方向に少なくとも部分的に延在する少なくとも１個のアーム部材を備えたアクチュエータを備え、このアクチュエータアーム部材は第１及び第２の動作位置の間で移動可能であり、前記アクチュエータアーム部材はラッチ解除カムで終端する自由端を備え、ラッチ解除カムは前記レセプタクルコネクタの係合部材を偏倚させるように構成され、前記ラッチ解除機構は更に付勢要素を備え、該付勢要素は、前記アクチュエータアーム部材から横断方向に延在するとともに、前記プラグコネクタを前記レセプタクルコネクタから外すときに前記コネクタハウジングの一部と接触するように構成され、これにより、前記アクチュエータアーム部材が第２の動作位置にあるとき、付勢要素が前記アクチュエータアーム部材を前記第１の動作位置に戻すための付勢力を提供するプラグコネクタ。
【請求項２】
前記アクチュエータは第２のアクチュエータアーム部材を含み、２つのアクチュエータアーム部材は互いに離間され、前記アクチュエータアーム部材の各々が前記プラグコネクタハウジング内で部分的に延在し、前記アクチュエータアーム部材の各々が付勢要素を含む、請求項１に記載のプラグコネクタ。
【請求項３】
前記アクチュエータアーム部材の付勢要素の各々が前記プラグコネクタハウジング内に収容されている、請求項２に記載のプラグコネクタ。
【請求項４】
前記プラグコネクタハウジングは、前記付勢要素に対向して配設された反力面を備え、これにより、前記アクチュエータアーム部材の前記第２の動作位置への移動によって、前記アクチュエータアーム部材を前記第１の動作位置に向って付勢する付勢力が発生される、請求項２に記載のプラグコネクタ。
【請求項５】
前記プラグコネクタハウジングの反力面は、前記プラグコネクタハウジングの中空内部に配設されている、請求項４に記載のプラグコネクタ。
【請求項６】
前記プラグコネクタハウジングは、その水平な表面に、前記プラグコネクタハウジングの中空内部と連通する開口を備え、前記ラッチ解除カムは前記開口に配設されている、請求項１に記載のプラグコネクタ。
【請求項７】
前記開口はＴ字形状である、請求項６に記載のプラグコネクタ。
【請求項８】
前記付勢要素は自由端で終端し、該自由端は互いに離間されているとともに前記プラグコネクタハウジングの中央長手軸と位置合せされている、請求項２に記載のプラグコネクタ。
【請求項９】
前記ラッチ解除カムは前記アクチュエータアーム部材から横断方向に離間されている、請求項１に記載のプラグコネクタ。
【請求項１０】
前記ラッチ解除カムはＳ字形状を有している、請求項９に記載のプラグコネクタ。
【請求項１１】
前記ラッチ解除カムは傾斜カム面を備えたカムブロックを含む、請求項９に記載のプラグコネクタ。
【請求項１２】
前記アクチュエータアーム部材は、前記プラグコネクタハウジング内において摺動可能に配設されている、請求項１に記載のプラグコネクタ。
【請求項１３】
前記２つのアクチュエータアーム部材は、前記プラグコネクタハウジングの外部においてハンドルによって相互に接続されている、請求項２に記載のプラグコネクタ。
【請求項１４】
前記ハンドルはユーザが把持するための開口を備えている、請求項１３に記載のプラグコネクタ。
【請求項１５】
前記反力面は、前記プラグコネクタハウジングの中空内部の上側の内表面に配設されている、請求項５に記載のプラグコネクタ。
【考案の詳細な説明】
【技術分野】
【０００１】
本考案は、一般に、小型コネクタ及びそのようなコネクタを取囲むシールドハウジングに関し、より詳細には、そのようなハウジング内に収容されかつそのような小型プラグコネクタと嵌（かん）合するプラグコネクタに関する。
【背景技術】
【０００２】
高速データ転送システムは、電気システムの必要とされるデータ転送速度を維持するために、電気インピーダンスを制御することができる電気コネクタを必要とする。ＳＦＰ（スモールフォームファクタプラグ：Ｓｍａｌｌ  Ｆｏｒｍ  Ｆａｃｔｏｒ  Ｐｌｕｇｇａｂｌｅ）用途で使用されるような低背型コネクタは、スペースが貴重であり、したがって、相手側嵌合プラグコネクタをガイドしてそのようなコネクタと接触させるのが難しい電子装置では望ましい。プラグコネクタは、一般に、ＳＦＰコネクタのカード開口部に収容される突出した縁を有する回路カードを含む。一般に、そのようなコネクタには、電磁干渉放射を制御するためにシールドケージが利用される。そのようなケージは、多くの場合、コネクタを実質的に取囲むという点でコネクタの補助ハウジングとして働く。ＳＦＰ型コネクタは小さいので、相手側嵌合コネクタがＳＦＰコネクタと適切に嵌合するのを確実にするのが難しい。
【０００３】
さらに、そのような小さなサイズのために、コネクタ接点とシールドハウジングとの間にブリッジを生じさせることなくコネクタのはんだリフロー処理を可能にするほどシールドハウジングを大きなサイズにすることは困難である。
【０００４】
さらに、回路基板コネクタのサイズも小さいので、回路基板コネクタを取囲むシールドハウジングと確実に係合するプラグ型の相手側嵌合コネクタを提供することも困難である。
【考案の開示】
【考案が解決しようとする課題】
【０００５】
このような回路基板コネクタのサイズが小さい場合は、嵌合プラグコネクタが回路基板コネクタと係合又はラッチ（係止）する手段を備え、またプラグコネクタが、自身を回路基板コネクタからラッチ解除する手段を備えることが望ましい。そのようなラッチ解除手段は、プラグコネクタのラッチ解除機構をその元の状態（すなわち、ラッチ状態）に戻すための何らかの手段を備えていなければならない。
【課題を解決するための手段】
【０００６】
したがって、本考案は、小型のＳＦＰコネクタとともに使用されかつ前述の欠点を克服する改善されたプラグコネクタを対象とし、このプラグコネクタは、該プラグコネクタを、ＳＦＰコネクタと関連するとともに該ＳＦＰコネクタを取囲むシールドハウジングに係合させる手段と、プラグコネクタをＳＦＰコネクタからラッチ解除、すなわち、切離す手段とを有する。
【０００７】
したがって、本考案の一般的な目的は、プラグコネクタをシールドハウジング内の適所からラッチ解除する機構を提供することであり、プラグコネクタは、ハウジングと、該ハウジングに可動式に取付けられたアクチュエータとを有し、該アクチュエータは、ハンドル部と、プラグコネクタ内で長手方向に延在するラッチアームの自由端に配設された少なくとも１つの作動部とを含み、該作動部は、プラグコネクタのラッチ状態と非ラッチ状態とに対応する第１及び第２の動作位置の間で移動可能である。
【０００８】
本考案の更に他の目的は、小型プラグコネクタ用のラッチ解除又はエジェクタシステムを提供することであり、プラグコネクタは、ハウジングと、該ハウジングから前方に延在する回路カードとを有し、プラグコネクタは、回路基板上に取付けられた小型コネクタと嵌合する。該小型コネクタは、プラグコネクタがこのコネクタと嵌合されたときにプラグコネクタと係合する１以上の係合タブを有する被覆構造体によって取囲まれている。プラグコネクタは、さらに、ハウジング内に少なくとも部分的に配設されたラッチ解除組立体を有し、ラッチ組立体は、１つの後方ハンドル部と、コネクタハウジング内でハンドル部から前方に延在する２本のアームとを有し、該アームは自由端で終端し、各自由端は、カム部を含み、該カム部は、相手側シールドハウジング上に配設された対応する係合タブと選択的に接触するように位置合せされており、係合タブを動かしてプラグコネクタハウジングとの係合を外し、その結果、プラグコネクタをシールドハウジングから切離しかつ容易に取外すことができるようにする。
【０００９】
本考案の更に他の目的は、プラグコネクタが内部の回路カードを少なくとも部分的に取囲む導電性外側シェルを含む、前述のようなラッチ解除機構を提供することであり、シェルには一対のＴ字形開口部が配置され、アクチュエータアーム部が、それらの開口部と位置合せされかつ少なくとも部分的に収容されており、シールドハウジングの係合タブは、シールドハウジングの内部空間に向って斜めに垂下しており、Ｔ字形開口部とアクチュエータアームのカム部とが、係合タブと位置合せされ、それによりアクチュエータアームの動きによって、カム部が係合タブと接触し、それにより、該係合タブがプラグコネクタハウジングとの係合から外れる。
【００１０】
本考案の更に他の目的は、プラグコネクタ用の前述のタイプのラッチ解除機構を提供することであり、該ラッチ解除機構は、さらに、アクチュエータを初期位置に戻すための手段を含み、この戻し手段は、アクチュエータのアームに対してある角度で延在する一対のばねアームを含み、該ばねアームは、プラグコネクタハウジングの肩部と位置合せされており、該ハウジングの肩部が反力面を画定し、戻しアームは、アクチュエータにばね力を加えて、アクチュエータが引張られた後でそれを初期位置に戻すために、反力面に対して付勢されている。
【００１１】
本考案は、前述、その他の目的をその新規で独特な構造によって達成する。
【００１２】
本考案の一実施形態では、導電性金属ハウジングが、ダイキャストなどによって形成され、ハウジングは内部の中空部を含む。この中空部は、回路基板に取付けられたＳＦＰ型コネクタの上に被せられる。ハウジングは、前方部分に形成された開口部を有し、該開口部は、ハウジングへの入口を画定する。１以上の突出部、すなわち、係合タブが、ハウジングに形成され、それらの突出部は、凹部内及びハウジングの開口部内に延在して、相手側嵌合コネクタの外部に形成された対応する凹部又は溝内に収容されなければならない１以上のガイド部材を提供する。
【００１３】
本考案のラッチ機構において、プラグコネクタハウジングは、プラグコネクタを挿入してシールドハウジングに取囲まれたＳＦＰ型回路基板コネクタと嵌合するときにシールドハウジングの係合タブを収容する凹部を備える。ラッチ解除組立体は、プラグコネクタハウジングの後端に配設されたハンドル部と、プラグコネクタハウジング内において離間した状態でハンドル部から前方に延在する２本のアームとを有する。２本のラッチアームは、この実施形態では長手方向に直線的に動くことができ、プラグコネクタのハウジング内で前後に動く。アクチュエータアームの２つの自由端は、プラグコネクタハウジングから前方に、プラグコネクタの前方端に配設された導電性金属シェルによって部分的に取囲まれた領域内に延在する。
【００１４】
アクチュエータアームの２つの自由端は、それぞれ、上方に角度が付けられたカム面を有するカム部を含むことが好ましく、該カム部は、中実カムブロックの形をとってもよく、自由端の段部として形成されてもよい。好ましくは、Ｔ字形を有する開口部がプラグコネクタハウジングに形成され、カム部は、これらの開口部と位置合せされ、該開口部の一部に部分的に入っている。アクチュエータのハンドルが引張られたとき、アクチュエータアームの自由端とカム部が、第１及び第２の動作位置の間で動かされる。２つの位置のうちの一方では、カム部は静止位置（ｒｅｓｔ  ｐｏｓｉｔｉｏｎ）にあり、２つの位置のうちの他方では、カム部は、シールドハウジングの係合部材に対して付勢される。
【００１５】
シールドハウジングは、該シールドハウジングから打抜かれることによってタブとして形成されることが好ましい１以上の係合部材を含む。これらの係合タブは、斜めに内方に曲げられ、シールドハウジングの内部に下方に角度が付けられ、シールドハウジングの後部に向けて下向きの角度で延在する。これらの係合部材は、プラグコネクタのＴ字形の開口部及びラッチ機構のカム部と位置合せされる。係合タブは、プラグコネクタがシールドハウジングと完全に係合されたときＴ字形の開口部内に延在し、したがって、プラグコネクタの回路基板コネクタとの係合が外れるのを防ぐ。カム部は、Ｔ字形の開口部内で直線的に動くことができ、カム部の傾斜面が、係合タブに対して動かされ、該係合タブを持上げ、プラグコネクタハウジングとの係合を外して、シールドハウジングからプラグコネクタを外し、それにより、該プラグコネクタを取外すことができる。
【００１６】
アクチュエータアームは、該アクチュエータアームを初期位置に戻す戻り機構を備えていてもよい。本考案の一実施形態では、この機構は、アクチュエータアームの長手方向に対して横断方向に延在するばねアームとして形成された２つの戻しばねを利用する。これらの戻しばねアームの自由端は、プラグコネクタハウジングの内面に配設されたブロックの形態を取る反力面と接触する。これらの戻しばねアームは、アクチュエータに付勢力を提供し、プラグコネクタをシールドハウジングから外すためにアクチュエータが移動した後で該アクチュエータが初期位置に戻るようにする。
【００１７】
本考案のその他の目的、特徴及び利点は、以下の詳細な説明を検討することによってより明確に理解されるであろう。
【００１８】
この詳細な説明において、添付図面をしばしば参照する。
【考案を実施するための最良の形態】
【００１９】
図１は、本考案が使用される環境を示す。図に示される環境は平面回路基板１００を含んでおり、該平面回路基板１００には２つの指定されたコネクタ領域１０２が画定され、各領域は複数の導電性接点パッド１０４を含む。一方のそのような領域にはＳＦＰ型コネクタ１０６が適所に設けられている。このコネクタ１０６は、絶縁性ハウジング１０８を有し、複数の導電性端子１１０を支持している。このコネクタ１０６は、一般に、相手側の嵌合プラグ型コネクタ２００に取付けられた回路カード１１４の縁を収容するように設計されたスロット１１２を有する（図６）。
【００２０】
図２は、本考案で使用されるタイプのシールドハウジング１３０を示す。図に示されるように、シールドハウジング１３０は、好ましくはシートメタルブランクから形成されており、上壁１３１、２つの側壁１３２及び１３３、後壁１３４並びに下壁１３５を含む。これらの壁が集合的に中空の内部キャビティ１３７に至る開口１３６を画定する。後壁１３４はフランジ端１３７を含み、これらのフランジ端１３７は、各側壁１３２及び１３３の上に曲げられて後壁をハウジングに固定し内部キャビティ１３７の後側を密封する。下壁１３５は、後壁１３４まで完全に延在しない単なる部分下壁として形成されることが好ましい。より正確に言うと、下壁１３５は、一緒に使用されるＳＦＰ型コネクタ１０６の上に置かれるハウジング１３０の底に内部キャビティ１３９を画定するためのハウジング全体の深さより小さい深さを有する。下壁１３５は、その端に係合フランジ１４０が形成されてもよく、該係合フランジ１４０は、ある角度で曲げられ、側壁１３３に形成された対応する相手側係合タブ１４１と係合して、シールドハウジング１３０の入口用の枠組を確保する。
【００２１】
図４に最もよく示されるように、ハウジング１３０は、また、回路基板１００の上面と対向する平らな取付面を提供するフランジ１５０を含む。これらのフランジ１５０は、該フランジ１５０を回路基板に取付けるためのねじ又はボルトを収容する開口１５１を含んでいてもよく、あるいは、基板１００にはんだ付するために平らであってもよい。図３に示されるように、ハウジング１０３の側面と後面からのＥＭＩの漏れを防ぐために、これらのフランジ１５０上にはＵ字型ＥＭＩガスケット１７０が配置されていてもよい。
【００２２】
ハウジング１３０は、相手側嵌合コネクタ２００（図６）をハウジング１３０の開口１３６及び内部キャビティ１３９内に案内するための手段を備える。この案内手段は、「キー係合」手段とも呼ばれ、図２では、ハウジングの開口１３６の前縁に沿って形成されたガイドタブ１６０として示されている。ハウジング１３０の上壁１３１に更に他のガイドタブ１６２が形成されていてもよい。ガイドタブ１６０（又は、タブ１６２）は、相手側嵌合コネクタ２００の位置決め点を画定し、好ましくは、ハウジング１３０の後部に向って延在する想像線に沿って位置合せされている。
【００２３】
図６に相手側プラグコネクタ２００を示し、このコネクタが、回路基板１００の回路と接続されるワイヤを含む１以上のケーブル２０１に取付けられたハウジング２０２を含んでいることが分かる。プラグコネクタ２００は、基板コネクタ１０６の回路カードスロット１１２に収容される回路カード１１４の形の雄形突出部を含む。これらの突出部とコネクタ２００の前端２１０の残りの部分は、導電性シールド２０３によって取囲まれている。このシールド２０３は、ガイドスロット２０５を含むことが好ましく、該ガイドスロット２０５は、シールド２０３の上部を２つの分かれた部分２１２（図７Ａ）に分離するスロット２１１、あるいは、プラグコネクタシールド２０３の上部の凹部又はチャネルとして形成されてもよく、この場合、上部は分かれた部分に分割されない。このガイドスロット２０５は、図６及び７に示されるように、プラグコネクタの長さ方向に延在することが好ましい。
【００２４】
代替として、シールドハウジング１３０全体は、単一のダイキャスト部品として一体形成されてもよく、その場合、ガイドタブ１６０及び１６２は、ハウジング１３０の上部から打抜きによって形成するのではなく鋳造工程の一部として形成され、コネクタの深さ全体に延在してもよい。ハウジング内の適所で相手側プラグコネクタと係合する何らかの手段を有することが望ましい。そのような係合手段は係合タブ１７５であり、図７及び８の実施形態におけるハウジング１３０の上壁１３１から打抜きによって形成されてもよく、図１０〜１２の実施形態のカバー部６０２とともに鋳造されてもよい。
【００２５】
図８〜８Ｂは、本考案で使用される他のシールドハウジングを示す。シールドハウジング３００は、好ましくはダイキャスト部品であるベース部３０１と、好ましくはシートメタルから打抜きによって形成されるカバー部３０２とを含む複数の部品から構成される。図に示されるようなカバー部３０２は、前述のシールドハウジング１３０の入口１３６と同じように形成された入口部３０３を含む。このカバー部は、シールドハウジング１３０と同じように、ＥＭＩガスケット３０５を含む。該ＥＭＩガスケット３０５は、相手側プラグコネクタ２００及び４００の導電性底面と接触するように、ハウジング１３０及び３００の内部キャビティ内に立上がる複数の導電性ばねフィンガ３０６を提供するように切込みが形成された金属片の形をとる。
【００２６】
図８に示されるシールドハウジングのベース部３０１は、その内側面３１２にガイドレール３１０が形成され、該レール３１０は、コネクタ４００をハウジング３００内の適所にガイドする手段を提供する。相手側プラグコネクタ４００は、ケーブル４０２に取付けられたハウジング４０１と、該プラグコネクタハウジング４０１の前方に延在する導電性シールド４０５とを含む。該プラグコネクタシールド４０５の側壁４０６には、ハウジングベース側壁のガイドレール３１０と嵌合する溝４０８が形成されている。図８Ａ及び８Ｂは、プラグコネクタ４００とそのシールドハウジング３００の正面図であり、それらのガイドレール３１０と溝４０８とを示す。
【００２７】
図９は、シールドハウジング５００の他の実施形態を示し、この実施形態では、ハウジング５００の上壁５０１は、該ハウジング上壁５０１の深さ方向全体に亘（わた）って延在する溝５０２を有する。対応する相手側プラグコネクタ５１０には、該コネクタ５１０のシールド部５０５に形成された１以上のガイドタブや他の突出部５０４が設けられており、これらのガイドタブは、シールドハウジング溝５０２と嵌合するように位置合せされている。
【００２８】
図１０は、好ましくは導電性材料からダイキャストされたシールドハウジング６００を示し、該ハウジング６００は、ベース部６０１と上カバー部６０２とを有する。ベース部６０１は側壁６０３及び６０４を含み、該側壁６０３及び６０４は、それぞれ、ねじ穴又はボルトが挿入される穴６０８を備える１以上の取付ポスト６０６を含み、ハウジングを回路基板１００に保持することができる。ポスト６０６は、側壁６０３及び６０４からわずかに突出し、それらの間にスロット６１２を画定するとともに、ポスト６０６の前後にそれぞれスロット６１３及び６１４を画定する。
【００２９】
各側壁６０３及び６０４上のポスト６０６は、その位置が互い違いされており、その結果、図１１に示されるように、２つのこのようなハウジングを回路基板１００上に密接して配置することができる。この点に関して、右側壁６０４上のポスト６０６は、隣接するハウジングの左側壁６０４上の溝６１２〜６１４に入る。さらに、近い間隔に対応するために、溝６１２〜６１４は窪（くぼ）まされていることが好ましく、すなわち、カバー部６０２は、側方に少し突出してポスト６０６の外側６２１が嵌（はま）るスペースを作る上縁６２０を含む。この嵌め合いを図１１に概略的に示す。
【００３０】
図１２は、当該技術分野で一般に「腹合せ」配置と呼ばれる回路基板の両面に配置された本考案の２個のハウジング６００を示す。この例では、取付ねじ６５０は、一方のハウジング６００の一方の組の取付ポスト６０６の穴６０８を通って、他方のハウジングの他方の組の取付ポストの穴に入る。
【００３１】
図１３は、本考案の原理に従って構成されたラッチ解除機構６６０を備えたプラグコネクタ２００を示す。この機構６６０は、プラグコネクタのユーザが、基板に取付けられたレセプタクルコネクタのシールドハウジングと係合しているプラグコネクタを切離すか、排出するか、あるいは、他の方法でラッチを解除することを可能にする。図１４で最も分かるように、このラッチ解除機構６６０は、ユーザが指が入れて図に示される機構を操作するための穴６６４を有するベース又はハンドル部６６２を備えたアクチュエータを含む。２本のアクチュエータアーム６６５が、ハンドル部６６２から前方に間隔を置いて延在し、アクチュエータアーム６６５は自由端６６６で終端する。自由端６０６には、２個のタブ６６３が、アクチュエータアーム６６５から内方に延在して一対の摺（しゅう）動面６６７を画定する。各摺動面６６７は、傾斜したカム面６７０を有するカムブロック６６９として示された作動端６６８を含む。カム面６７０は、作動端６６８からラッチ解除機構６６０のハンドル６６２の方向に下方に傾斜している。
【００３２】
図１５に示されるように、ラッチ解除機構６６０の一部分、具体的にはアクチュエータアーム６６５は、プラグコネクタハウジング２０２に収容される。アクチュエータアーム６６５の自由端６６６は、コネクタハウジング２０２から突出し、組立体６６０全体はコネクタハウジング２０２内で摺動可能である。ラッチ解除アームの自由端６６６は、プラグコネクタの前方領域内に延在し、さらに、プラグコネクタ２００の導電性シェル部２０３間の領域内に延在している。プラグコネクタの外側シェル２０３は、長手方向部すなわち脚部６８３と横断部すなわちキャップ部６８２とを有するＴ字形開口部として示された一対の開口６８０を有する。アクチュエータアーム６０５のカム部は、これらの開口６８０と位置合せされた中実ブロックとして示されている。
【００３３】
そのようなプラグコネクタの開口６８０のキャップ、すなわち、横断部６８２は、図１６Ａ〜Ｃに最もよく示されるように、基板に取付けられたシールドハウジングの係合タブ１７５のための差込口の役割をする。係合タブの端は、これらの開口６８２に入り、開口６８０の底面６９０及びその端壁６９１に当る。この干渉嵌め（ｉｎｔｅｒｆｅｒａｎｃｅ  ｆｉｔ）によって、プラグコネクタ２００が、回路基板コネクタ１０６とシールドハウジング１３０から外れるのが防止される。プラグコネクタ２００をシールドハウジング１３０から外す手段を提供するために、カム部６６９は、開口６８０と位置合せされてその中に収容され、典型的には、開口６８０の脚部６８３を占有する。ラッチ解除機構とカム部６６９の動きによって、係合タブ１７５との接触が生じ、それにより、該係合タブ１７５が持上げられてプラグコネクタシェル２０３との係合が外される。
【００３４】
図１６Ａ〜Ｃは、ラッチ解除機構の動作の様子を最も良く示す。図１６Ａで、機構は第１の動作位置にあり、プラグコネクタ２００は、シールドハウジング１３０と係合した状態でラッチされている。図に示されるように、係合タブ１７５の端部は、開口６８０の内壁６９１に当接している。図１６Ｂでは、ラッチ解除機構は、その第２の動作位置に動き始めており、カムブロックのカム面６７０は、係合タブ１７５の端部と向い合っている。図１６Ｃで、ラッチ解除機構は後方に引張られており、それにより、カム部６６９とそのカム面６７０とが、係合タブ１７５の端部と接触し、開口６８０内で係合タブ１７５を上方に付勢し、穴６８０の端壁との接触を外す。実際には、カム部（ブロック）の上部分は、シールドハウジング１３０の係合タブ１７５が完全に持上げられるように穴６８０から部分的に突出することが好ましい。
【００３５】
ラッチ解除機構のハンドル６６０は、ケーブル２０２の一方の側に沿って延在するように示されている。ハンドル６６０は、図１３に示されるように、ケーブル２０２の他方の側、すなわち、下側まで、点線で示したように延在されてもよい。
【００３６】
図１７に代替実施形態を概略的に示し、このラッチ解除機構７００のハンドルは、後方に引張ることができる中実タブを備える。この実施形態では、自由端に単一のカムブロック７０３を有する１つのアクチュエータアームだけが使用され、シールドハウジングには、単一の係合タブ１７５だけが形成されている。
【００３７】
図１８〜２４は、本考案の原理に従って構成されたラッチ解除機構の他の実施形態を有するプラグコネクタ８００を示す。これらの図に示されるプラグコネクタ８００は、ケーブル８０２に収容された複数のワイヤを終端させるために使用される。ケーブル８０２は、図に示されるように、上半体８０５Ａ及び下半体８０５Ｂの２つの半体で構成されたハウジング８０４に入る。各半体８０５Ａ及び８０５Ｂは、幅広い本体部８０６と、コネクタ８０４の前面から突出する薄いプラグ部８０８とを有する。プラグコネクタ８００とそれが入る相手側ガイドフレームとの間に適切なＥＭＩシールを設けるために、（他の実施形態と同じように）プラグ部８０８に柔軟な導電性ガスケット８１０を付けてもよい（図２３及び２４）。
【００３８】
図２３に示されるように、プラグコネクタ８００のプラグ部８０８は、その両側に一対のスロット８１２が形成されている。これらのスロット８１２は、対応するガイドフレーム９００の相補的形状のガイドレール９０２を収容する。ガイドフレームはＵ字型であり、好ましくは導電性材料から形成された３つの壁９０３を含むように示されており、したがって、これらの壁９０３は、金属からダイキャストされることが好ましい。壁９０３は協力して、表面実装レセプタクルコネクタ９１０を取囲む中空の筐（きょう）体９０４を画定する。レセプタクルコネクタ９１０は図２４に最もよく示されており、プラグコネクタ８００に取付けられた回路カード９１５の縁を収容する嵌合スロット９１４を有する。コネクタ９１２は、プリント回路基板９１３の表面の基板９１３の縁９１７の近くに取付けられている。
【００３９】
ガイドフレーム筐体を完成させるために、導電性カバー９２５が設けられることが好ましい。このカバーは、図に示されるように、一対の両側のクリップ９２８を備えたカバープレート９２６を有し、これらのクリップ９２８は、ガイドフレーム９００の各側壁９０３の一部分を覆うように下方に延在し、側壁に形成されたスロット９３０と係合する。また、前側フレーム部９３２がカバー９２５の一部として形成されることが好ましく、タブ９３７によって９３６において相互に結合された２つの側壁９３４と下壁９３５とを有する。この前側フレーム部９３２は、プラグコネクタ８００のプラグ部８０８を収容するガイドフレームの開口部を形成する。下壁９３５は、複数の導電性ばねフィンガ９１２を設けるために、ガイドフレーム筐体９０４内においてその一端に沿って切込みが入れられており、このばねフィンガ９１２は、図に示されるように上方に付勢され、その結果、フィンガ９１２は、プラグコネクタ８００がガイドフレーム９００に挿入されたときにプラグコネクタのプラグ部８０８の底面と接触する。カバー９２５は一対のラッチタブ９３８を含むが、該ラッチタブは、前述の他の実施形態で述べたように、カバー内に向けて打抜きによって形成され、筐体９０４内に垂下する。下壁の一部分は、コネクタ９１２の前側において回路基板の縁９１７に沿って形成されたスロット９１８に突出して嵌ることができる。
【００４０】
図１９及び２０は、プラグコネクタ８００に利用されるラッチ解除機構１０００を示す。図に示されるように、該ラッチ解除機構１０００は、後側ハンドル部分１００３から長手方向に延在する一対の細長いアーム１００２を含み、該アームは、中央開口部１００４を有する幅広い本体を有し、ユーザが１以上の指で掴（つか）むためのプルタブ構造を画定する。各アーム１００２は、自由端１００５で終端し、そのような各端１００５は、アームの長さ方向に対する横断面内で９０度に折曲げられる。自由端１００５は、横断面内に配置されたラッチ解除タブ１００７を有するが、図に示されるように横断面からオフセットされて離間されてもよい。タブ１００７は、間隔Ｓだけ端部の基部から離間されている。側面から見たとき、自由端１００５はＳ字形状を有する。
【００４１】
このオフセットされた端部は、ラッチタブ９３８の端部に対して後方に動かされる傾斜したカム面１０１０を有することが好ましい。該カム面１０１０は、自由端の後方への動きによって、ラッチタブを持上げ、プラグコネクタのプラグ部８０８の開口との係合を外す。図１９に最もよく示されるように、ラッチ解除機構のアーム１００２は、好ましくはプラグコネクタの上半体８０５Ａ及び下半体８０５Ｂの両方に形成されたスロット又はチャネル１１００内に保持される。
【００４２】
本考案の重要な様相では、ラッチ解除機構１０００は、プラグコネクタ８００を対応するレセプタクルコネクタからラッチを解除、すなわち、解放するように操作された後でラッチ解除機構１０００を初期位置に保持するための手段を備える。この戻し手段は、図１９〜２２に最もよく示されている。戻し手段は、図に示されるように、好ましくはアクチュエータアーム１００２と一緒に形成されるように示された一対のアーム１０５１の形態の一対の戻しばね１０５０であり、これらの戻しばね１０５０は、アクチュエータアーム１００２が延在する長手方向の平面から、アクチュエータアーム１００２をほぼ横切るか又は少なくともずらされたそれ自体の平面に、打抜き形成されるか又は他の方法で曲げられる。自由端１００５は、プラグコネクタ回路基板９１５が延在する水平面の上側でかつその水平面とほぼ平行な面内で延在することが好ましい。このように、戻しばねアーム１０５１は、プラグコネクタの上半体８０５Ａの下の空間内に入る。この関係は、図２１に最も良く示されている。
【００４３】
図に示されるように、戻しばねアーム１０５１は、該戻しばねアーム１０５１とアクチュエータ１０００全体に初期バイアスを与えるために角度θ（図２０）だけわずかに後方に延在している。戻しばねアーム１０５１は、後方に突出するフィンガ１０５５をそれぞれ含む自由端１０５４を備えるように示されている。これらのフィンガ１０５５は、プラグコネクタの上半体８０５Ａの内側面と一緒に形成されるか、あるいは、他の方法で配設された反力ブロック１０７５と位置合せされる（図２１及び２２）。好ましくは、該反力ブロック１０７５は、プラグコネクタハウジングの長手方向の中心軸と位置合せされ、その結果、フィンガ１０５５もその軸と位置合せされる。更に好ましくは、フィンガがその軸の両側に配置される。反力ブロック１０７５はプラグコネクタの中心に沿って位置し、アクチュエータに加えられる復帰力が両アーム上で等しい。
【００４４】
ラッチ解除する際、ユーザは、フィンガタブ１００３を図１８の矢印Ｒの方向に後方に引張り、戻しばねフィンガ１０５５が、反力ブロック１０７５、及び、詳細には、その前面１０７６と接触する。アクチュエータを後方に動かすことによって、戻しばねアームは、図２２に仮想線で示したように前方に集まる。戻しばねアーム１０５１はその断面が細く、また、その材料が好ましくは高い弾性特性を有するばね鋼なので、弾力があり、ユーザがアクチュエータを放したときにその元の位置に戻る傾向があり、それにより、アクチュエータが前方に動かされ、アクチュエータアームが定位置に戻る。
【００４５】
図２５及び２６は、アクチュエータアームの自由端におけるカム部の動作を示す。アクチュエータが後方に動くと、カム部がシールドハウジングの係合タブと接触し、該係合タブが乗上げる傾斜面を提供し、これにより、プラグコネクタハウジングの開口部との係合が外れることが分かる。
【００４６】
図２７は、図１７の実施形態に示したような単一アクチュエータで使用するのに適した戻しばね構造を図示する。この実施形態のアクチュエータ７００は、プルタブ部７０１と、プラグコネクタハウジング内に保持される凹部７１０と、カム部７０３を有する自由端とを有する。単一の戻しアーム７１２が、凹部７１０の本体から打抜きによって形成されたように示されており、仮想線で肩部７４０として示した反力面と接触される。プルタブを押下げるとプラグコネクタのハウジングとの係合が解放される。
【図面の簡単な説明】
【００４７】
【図１】２つの導電性接点パッド配列が上に配置され、その２つの接続パッド配列の一方にＳＦＰ型コネクタが取付けられた回路基板の斜視図である。
【図２】図１と同じ図であるが、本考案の原理に従って構成されたシールドハウジングが回路基板から取外されその上に示されている。
【図３】図２と同じ図であるが、シールドハウジングが回路基板上の適所に示されＳＦＰ型コネクタを取囲んでいる。
【図４】図２及び３のシールドハウジングの下側から見た斜視図である。
【図５】図３と同じ図であるが、第２のシールドハウジングが第１のシールドハウジングの隣りに取付けられている。
【図６】図５と同じ図であるが、取付ブラケットが２つのシールドハウジングを横切って適所に設けられており、２つの相手側嵌合プラグコネクタがＳＦＰ型コネクタから外された状態で示されている。
【図７】互いに位置合せされた状態で示された図４のコネクタハウジングと図６の相手側嵌合コネクタの拡大斜視図である。
【図７Ａ】図７の線Ａ−Ａに沿って切断した相手側嵌合コネクタの前端の立面図である。
【図７Ｂ】図７の線Ｂ−Ｂに沿って切断した本考案のシールドハウジングの前端の立面図であり、分かりやすくするためにシールドハウジングが回路基板から取外され内部のＳＦＰ型コネクタが取外されている。
【図８】本考案の原理に従って構成されたシールドハウジングと嵌合コネクタ組立体の他の実施形態の分解斜視図である。
【図８Ａ】図８の線Ａ−Ａに沿って切断した相手側嵌合コネクタの前端の立面図である。
【図８Ｂ】図８の線Ｂ−Ｂに沿って切断した本考案のシールドハウジングの前端の立面図であり、分かりやすくするためにシールドハウジングが回路基板から取外され内部のＳＦＰ型コネクタが取外されている。
【図９】本考案の原理を具体化するガイド機構の他の実施形態を示す図である。
【図１０】本考案の原理を具体化するシールドハウジング組立体の他の実施形態の分解図である。
【図１１】図１０のシールドハウジングの並列配置を示す斜視図である。
【図１２】回路基板の両面に腹合せで配置された図１０の２つのハウジングの斜視図である。
【図１３】本考案の原理に従って構成されたラッチ機構を含むプラグコネクタの斜視図である。
【図１４】図１３のプラグコネクタに使用されているラッチ機構の斜視図である。
【図１５】図１３のプラグコネクタの分解図である。
【図１６】ラッチアームの自由端が見えるようにする線に沿って切断された図１３のプラグコネクタの断面図である。
【図１６Ａ】プラグコネクタ内の適所のラッチ機構カムブロックの拡大詳細図であり、シールドハウジングの係合タブがプラグコネクタと完全に係合した状態を示している。
【図１６Ｂ】図１６Ａと同じ図であるが、ラッチ機構カムブロックがプラグコネクタとシールドハウジング内で後方に動かされて係合タブと接触した状態を示している。
【図１６Ｃ】図１６Ｂと同じ図であるが、ラッチ機構カムブロックがシールドハウジングの係合タブと完全に係合した状態を示している。
【図１７】本考案の他の実施形態の斜視図である。
【図１８】本考案の原理に従って構成された取外し機構の別の実施形態を有するプラグコネクタの斜視図である。
【図１９】図１８と同じ図であるが、分かりやすくするためにプラグコネクタカバーが取外されている。
【図２０】図１８のプラグコネクタに使用されるラッチ解除操作機構の斜視図である。
【図２１】図１８と同じ図であるが、角度が異なり、また、プラグコネクタ内の適所に配置された図２０の操作機構が仮想線で示されている。
【図２２】図１８のプラグコネクタの上半体の内部斜視図であり、プラグコネクタの反力ブロックと接触している状態を示す。
【図２３】図１８のプラグコネクタとともに使用されるガイドフレームの分解斜視図である。
【図２４】プリント回路基板に固定する位置で示した表面実装コネクタと組立てた図２３のガイドフレームの部分詳細図である。
【図２５】シールドハウジング内の適所に係合されたプラグコネクタの側面断面図であり、詳細な差込図では、シールドハウジング係合タブとプラグコネクタハウジングとの間の係合を示す。
【図２６】図２５と同じ図であるが、動作中の切離し機構を示し、差込図ではアクチュエータアームのカム部がシールドハウジングの係合タブと接触している状態を示す。
【図２７】図１７のプラグコネクタの実施形態とともに使用することができるラッチ解除機構の代替実施形態の図である。
【図１】
0003143344.tif 000003
【図２】
0003143344.tif 000004
【図３】
0003143344.tif 000005
【図４】
0003143344.tif 000006
【図５】
0003143344.tif 000007
【図６】
0003143344.tif 000008
【図７】
0003143344.tif 000009
【図７Ａ】
0003143344.tif 000010
【図７Ｂ】
0003143344.tif 000011
【図８】
0003143344.tif 000012
【図８Ａ】
0003143344.tif 000013
【図８Ｂ】
0003143344.tif 000014
【図９】
0003143344.tif 000015
【図１０】
0003143344.tif 000016
【図１１】
0003143344.tif 000017
【図１２】
0003143344.tif 000018
【図１３】
0003143344.tif 000019
【図１４】
0003143344.tif 000020
【図１５】
0003143344.tif 000021
【図１６】
0003143344.tif 000022
【図１６Ａ】
0003143344.tif 000023
【図１６Ｂ】
0003143344.tif 000024
【図１６Ｃ】
0003143344.tif 000025
【図１７】
0003143344.tif 000026
【図１８】
0003143344.tif 000027
【図１９】
0003143344.tif 000028
【図２０】
0003143344.tif 000029
【図２１】
0003143344.tif 000030
【図２２】
0003143344.tif 000031
【図２３】
0003143344.tif 000032
【図２４】
0003143344.tif 000033
【図２５】
0003143344.tif 000034
【図２６】
0003143344.tif 000035
【図２７】
0003143344.tif 000036